(57)【特許請求の範囲】
【請求項１】
光学系と、該光学系によって形成された像を受光する撮像素子を有する撮像装置であって、
前記光学系は、物体側から像側へ順に、１枚以上のレンズ、開口絞り、最も像側に配置された負レンズを含む１枚以上のレンズを有し、
前記光学系は、赤外線カット膜が形成されたレンズ面を含み、
前記光学系が無限遠物体に合焦しているときの像面から前記光学系の射出瞳までの光軸上での距離をＬｅｐｗ、前記光学系が無限遠物体に合焦しているときの像面から前記レンズ面までの光軸上での距離をＬｃ、前記レンズ面の曲率半径をＲｃ、前記撮像素子の有効撮像領域の外接円の半径をＹｍａｘとし、
前記Ｌｅｐｗおよび前記Ｌｃについて物体側から像側に向かう方向を正とするとき、
０．１＜（Ｌｅｐｗ−Ｌｃ）／Ｒｃ＜１．５
１．０＜｜Ｌｅｐｗ｜／Ｙｍａｘ＜２．００
なる条件式を満足することを特徴とする撮像装置。
【請求項２】
前記レンズ面は、前記開口絞りの像側に配置されていることを特徴とする請求項１に記載の撮像装置。
【請求項３】
前記負レンズの焦点距離をｆｎ、前記光学系の焦点距離をｆｗとするとき、
０．５＜｜ｆｎ｜／ｆｗ＜１５．０
なる条件式を満足することを特徴とする請求項１または２に記載の撮像装置。
【請求項４】
前記負レンズの物体側のレンズ面の曲率半径をＲｎａ、像側のレンズ面の曲率半径をＲｎｂとするとき、
０．５＜（Ｒｎｂ＋Ｒｎａ）／（Ｒｎｂ−Ｒｎａ）＜５．０
なる条件式を満足することを特徴とする請求項１乃至３のいずれか１項に記載の撮像装置。
【請求項５】
前記レンズ面は、前記負レンズの物体側のレンズ面であることを特徴とする請求項１乃至４のいずれか１項に記載の撮像装置。
【請求項６】
前記光学系は、赤外線カット膜が形成された複数のレンズ面を含むことを特徴とする請求項１乃至５のいずれか１項に記載の撮像装置。
【請求項７】
前記光学系と前記撮像素子の間に配置された赤外線吸収フィルターを有することを特徴とする請求項１乃至６のいずれか１項に記載の撮像装置。
【請求項８】
前記光学系はズームレンズであることを特徴とする請求項１乃至７のいずれか１項に記載の撮像装置。
【請求項９】
広角端から望遠端へのズーミングに際し、前記負レンズは物体側へ移動することを特徴とする請求項８に記載の撮像装置。
【請求項１０】
前記光学系が無限遠物体に合焦しているときの広角端における前記負レンズの横倍率をβｎｗ、前記光学系が無限遠物体に合焦しているときの望遠端における前記負レンズの横倍率をβｎｔとするとき、
１．１＜βｎｔ／βｎｗ＜３．０
なる条件式を満足することを特徴とする請求項８または９に記載の撮像装置。
【請求項１１】
撮像素子を有する撮像装置に用いられる光学系であって、
物体側から像側へ順に、１枚以上のレンズ、開口絞り、最も像側に配置された負レンズを含む１枚以上のレンズを有し、
赤外線カット膜が形成されたレンズ面を含み、
無限遠物体に合焦しているときの像面から前記光学系の射出瞳までの光軸上での距離をＬｅｐｗ、無限遠物体に合焦しているときの像面から前記レンズ面までの光軸上での距離をＬｃ、前記レンズ面の曲率半径をＲｃ、前記撮像素子の有効撮像領域の外接円の半径をＹｍａｘとし、
前記Ｌｅｐｗおよび前記Ｌｃについて物体側から像側に向かう方向を正とするとき、
０．１＜（Ｌｅｐｗ−Ｌｃ）／Ｒｃ＜１．５
１．０＜｜Ｌｅｐｗ｜／Ｙｍａｘ＜２．００
なる条件式を満足することを特徴とする光学系。
【発明の詳細な説明】
【技術分野】
【０００１】
本発明は光学系を有する撮像装置に関する。例えば、ビデオカメラ、デジタルスチルカメラ、監視カメラ等の撮像装置に関するものである。
【背景技術】
【０００２】
近年、多くの撮像装置においては、ＣＣＤ、ＣＭＯＳ等の大型の撮像素子が用いられている。撮像装置に用いられる多くの撮像素子は可視域（波長３８０ｎｍ〜波長７８０ｎｍ）の他に、赤外域（波長７８０ｎｍ〜波長１０００ｎｍ）の光に関しても感度を有する。ゆえに、赤外域の不要光が撮像素子に入射すると光学性能が低下してくる。このため、赤外域の不要光が撮像素子に入射しないように光学系中に赤外域の光をカットする吸収型や反射型の赤外線カット素子を設ける必要がある。
【０００３】
一般に赤外線カット素子を光学系中に設けると、赤外線カット素子の厚さだけ光学系のレンズ全長が増大してくる。これに対して、従来、可視光を透過し赤外線をカットする赤外線カット膜（光学薄膜）をレンズ面に形成して全系の小型化を図った光学系が提案されている（特許文献１）。特許文献１では、光学系の小型化と軽量化のために、光学系と撮像素子の間に配していた赤外線カット用の光学フィルターを廃し、その代わりに光学系のレンズ面に赤外線カットコート膜を形成した構成を開示している。
【先行技術文献】
【特許文献】
【０００４】
【特許文献１】特開２００６−５３３６１号公報
【発明の概要】
【発明が解決しようとする課題】
【０００５】
一般に大型の撮像素子を使用しつつ光学系の小型化を実現するためには、光学系の射出瞳位置の距離（像面からの距離）を短縮するレンズ構成（以下、「短瞳構成」という）が有効である。一般に光学系の射出瞳位置を短縮すると、画面中心から周辺にかけて、主光線の像面への入射角の変動が大きい（斜入射の度合いが強まる）構成となる。画面中心から周辺にかけて主光線の像面への入射角の変動が大きいと、赤外線カット膜を形成したレンズ面への入射角の変動も大きくなる。
【０００６】
図１３には、赤外線カット膜の分光特性の例を示す。図１３は特許文献１の表２の赤外線カット膜の分光特性図である。ここで図１３は、特許文献１の表２の膜特性をもとに、光学薄膜への入射角度が０度（垂直入射）、３０度の場合の透過率特性を記載している。図１３より、光学薄膜への入射角が大きくなると、垂直入射の場合より赤外域のカットオフ波長が短波長側へシフトしてしまうことがわかる。
【０００７】
ここで、例えば光学系と撮像素子の間に赤外線カット膜を形成した平行平板よりなる光学フィルターを用いたとする。このとき、短瞳構成で全系の小型化を図った光学系では、画角（撮像素子の像高）毎に赤外域のカットオフ波長が異なることとなり、色のシェーディングが生じて画質が大きく低下してくる。
【０００８】
本発明は、短瞳構成にて光学系の小型化を図るとともに、赤外線をカットし、しかも光線斜入射に起因する色シェーディングの発生を軽減することができる撮像装置の提供を目的とする。
【課題を解決するための手段】
【０００９】
本発明の撮像装置は、光学系と、該光学系によって形成された像を受光する撮像素子を有する撮像装置であって、
前記光学系は、物体側から像側へ順に、１枚以上のレンズ、開口絞り、最も像側に配置された負レンズを含む１枚以上のレンズを有し、
前記光学系は、赤外線カット膜が形成されたレンズ面を含み、
前記光学系が無限遠物体に合焦しているときの像面から前記光学系の射出瞳までの光軸上での距離をＬｅｐｗ、前記光学系が無限遠物体に合焦しているときの像面から前記レンズ面までの光軸上での距離をＬｃ、前記レンズ面の曲率半径をＲｃ、前記撮像素子の有効撮像領域の外接円の半径をＹｍａｘとし、
前記Ｌｅｐｗおよび前記Ｌｃについて物体側から像側に向かう方向を正とするとき、
０．１＜（Ｌｅｐｗ−Ｌｃ）／Ｒｃ＜１．５
１．０＜｜Ｌｅｐｗ｜／Ｙｍａｘ＜２．００
なる条件式を満足することを特徴としている。
【発明の効果】
【００１０】
本発明によれば、短瞳構成にて光学系の小型化を図るとともに、赤外線をカットし、しかも光線斜入射に起因する色シェーディングの発生を軽減することができる撮像装置が容易に得られる。
【図面の簡単な説明】
【００１１】
【図１】実施例１の光学系の広角端におけるレンズ断面図
【図２】（Ａ）、（Ｂ）、（Ｃ）  実施例１の光学系の広角端、中間のズーム位置、望遠端における無限遠合焦時の縦収差図
【図３】実施例２の光学系の広角端におけるレンズ断面図
【図４】（Ａ）、（Ｂ）、（Ｃ）  実施例２の光学系の広角端、中間のズーム位置、望遠端における無限遠合焦時の縦収差図
【図５】実施例３の光学系の広角端におけるレンズ断面図
【図６】（Ａ）、（Ｂ）、（Ｃ）  実施例３の光学系の広角端、中間のズーム位置、望遠端における無限遠合焦時の縦収差図
【図７】実施例４の光学系の広角端におけるレンズ断面図
【図８】（Ａ）、（Ｂ）、（Ｃ）  実施例４の光学系の広角端、中間のズーム位置、望遠端における無限遠合焦時の縦収差図
【図９】実施例５の光学系の広角端におけるレンズ断面図
【図１０】（Ａ）、（Ｂ）、（Ｃ）  実施例５の光学系の広角端、中間のズーム位置、望遠端における無限遠合焦時の縦収差図
【図１１】実施例６の光学系のレンズ断面図
【図１２】実施例６の光学系の無限遠合焦時の縦収差図
【図１３】特許文献１の表２に開示された光学薄膜の膜特性の説明図
【発明を実施するための形態】
【００１２】
以下に、本発明の好ましい実施の形態を、添付の図面に基づいて詳細に説明する。本発明の撮像装置は、光学系と、光学系によって形成された像を撮像する撮像素子を有する。光学系は、物体側から像側へ順に１枚以上のレンズ、開口絞り、１枚以上のレンズを有する。光学系の最も像側のレンズは負レンズである。光学系の１つ以上のレンズ面には赤外線カット膜が形成されている。
【００１３】
図１は、本発明の実施例１の撮像装置に用いられる光学系の広角端（短焦点距離端）におけるレンズ断面図である。図２（Ａ）、（Ｂ）、（Ｃ）はそれぞれ本発明の実施例１の撮像装置に用いられる光学系の広角端、中間のズーム位置、望遠端（長焦点距離端）における無限遠物体合焦時の縦収差図である。図３は、本発明の実施例２の撮像装置に用いられる光学系の広角端におけるレンズ断面図である。図４（Ａ）、（Ｂ）、（Ｃ）はそれぞれ本発明の実施例２の撮像装置に用いられる光学系の広角端、中間のズーム位置、望遠端における無限遠物体合焦時の縦収差図である。
【００１４】
図５は、本発明の実施例３の撮像装置に用いられる光学系の広角端におけるレンズ断面図である。図６（Ａ）、（Ｂ）、（Ｃ）はそれぞれ本発明の実施例３の撮像装置に用いられる光学系の広角端、中間のズーム位置、望遠端における無限遠物体合焦時の縦収差図である。図７は、本発明の実施例４の撮像装置に用いられる光学系の広角端におけるレンズ断面図である。図８（Ａ）、（Ｂ）、（Ｃ）はそれぞれ本発明の実施例４の撮像装置に用いられる光学系の広角端、中間のズーム位置、望遠端における無限遠物体合焦時の縦収差図である。
【００１５】
図９は、本発明の実施例５の撮像装置に用いられる光学系の広角端におけるレンズ断面図である。図１０（Ａ）、（Ｂ）、（Ｃ）はそれぞれ本発明の実施例５の撮像装置に用いられる光学系の広角端、中間のズーム位置、望遠端における無限遠物体合焦時の縦収差図である。図１１は、本発明の実施例６の撮像装置に用いられる光学系のレンズ断面図である。図１２は本発明の実施例６の撮像装置に用いられる光学系の無限遠物体合焦時の縦収差図である。
【００１６】
各実施例の撮像装置はビデオカメラ、デジタルスチルカメラ、銀塩フィルムカメラ、ＴＶカメラ等である。各実施例のレンズ断面図において、左方が物体側（前方）で、右方が像側（後方）である。またレンズ断面図において、Ｌ０は光学系である。
【００１７】
図１、図３、図５、図７、図９のレンズ断面図において、ｉを物体側からのレンズ群の順番とすると、Ｌｉは第ｉレンズ群を示す。各レンズ断面図において、ＳＳは開口絞りである。Ｇは光学フィルター、フェースプレート、ローパスフィルター等に相当する光学ブロックである。ＩＰは像面である。像面ＩＰはビデオカメラやデジタルカメラの光学系として使用する際にはＣＣＤセンサやＣＭＯＳセンサなどの固体撮像素子（光電変換素子）の撮像面に相当する。銀塩フィルムカメラの光学系として使用する際には、フィルム面に相当する。
【００１８】
レンズ群に関する矢印は広角端から望遠端へのズーミング（変倍）に際して、各レンズ群の移動軌跡を示している。球面収差図において、ｄはｄ線（波長５８７．６ｎｍ）、ｇはｇ線（波長４３５．８ｎｍ）である。非点収差差図においてΔＳはｄ線におけるサジタル像面であり、ΔＭはｄ線におけるメリディオナル像面である。歪曲収差はｄ線について示している。倍率色収差図においてｇはｇ線である。尚、以下の光学系がズームレンズのとき、広角端と望遠端は変倍用のレンズ群が機構上、光軸上を移動可能な範囲の両端に位置したときのズーム位置をいう。
【００１９】
各実施例の光学系Ｌ０では、光学系Ｌ０が無限遠物体に合焦したときの像面から光学系Ｌ０の射出瞳までの光軸上の距離（光学系Ｌ０がズームレンズのときは広角端での値）をＬｅｐｗとする。光学系Ｌ０が無限遠物体に合焦したときの像面から赤外線カット膜が形成されたレンズ面までの光軸上の距離（光学系Ｌ０がズームレンズのときは広角端での値）をＬｃとする。赤外線カット膜を有するレンズ面の曲率半径をＲｃ、撮像素子の有効撮像領域に外接する円の半径をＹｍａｘとする。
【００２０】
このとき、
０．１＜（Ｌｅｐｗ−Ｌｃ）／Ｒｃ＜１．５    ・・・（１）
１．０＜｜Ｌｅｐｗ｜／Ｙｍａｘ＜２．００      ・・・（２）
なる条件式を満足する。
【００２１】
ここで射出瞳から像面までの光軸上の距離及び赤外線カット膜が形成されたレンズ面から像面までの光軸上の距離はいずれも最終レンズ面から像面までの間に光学フィルター等のガラスブロックがあるときはそれらの厚さを空気換算した値として求めた距離である。また距離Ｌｅｐｗ、距離Ｌｃはいずれも物体側から像側へ向かう方向を正とする。赤外線カット膜の膜構成は、例えば前述した特許文献１（特開２００６−５３３６１号公報）に開示されている膜構成が適用できる。
【００２２】
ここで赤外線カット膜を有するレンズ面の曲率半径Ｒｃは、赤外線カット膜を有するレンズ面が非球面の場合、光軸上の面頂点と有効径端でのサグ量で決まる参照球面の曲率半径とする。
【００２３】
条件式（１）は、光学系中で、赤外線カット膜を形成したレンズ面の光軸上の位置を規定している。条件式（１）を満足するレンズ面に赤外線カット膜を配置することで、赤外線カット膜への主光線の入射角度の撮像画角による変動を低減し、赤外線カット膜のカットオフ周波数シフトに起因する色シェーディングを軽減している。
【００２４】
条件式（１）の下限を超えると、射出瞳位置に対して赤外線カット膜を形成したレンズ面の曲率半径が小さくなりすぎる。一方、上限を超えると、射出瞳位置に対して赤外線カット膜を形成したレンズ面の曲率半径が大きくなりすぎる。いずれの場合も、赤外線カット膜を形成したレンズ面の面法線方向に対する主光線の入射角度の撮像画角による変動が増大してしまうのでよくない。
【００２５】
条件式（２）は、射出瞳の距離と撮像素子のサイズから像面への主光線の入射角を規定している。条件式（２）を満足することで、光学系の小型化を図りつつ、輝度シェーディングを軽減している。条件式（２）の下限を超えると、像面への主光線の入射角が大きくなりすぎ、撮像素子の画素構造に起因する輝度シェーディングの補正が困難となる。一方、上限を超えると、光学系は像側テレセントリックの配置に近づき、色シェーディングの課題は解消されるものの、とくに撮像素子を大型化したとき光学系が大型化してしまうのでよくない。
【００２６】
以上の構成により、短瞳構成にて光学系の小型化を図りつつ、赤外線カット膜への光線の斜入射に起因する色シェーディングの発生を軽減した撮像装置を得ている。
【００２７】
各実施例において、より好ましくは、条件式（１）、（２）の数値範囲を次の如く設定するのが良い。
０．１５＜（Ｌｅｐｗ−Ｌｃ）／Ｒｃ＜１．３０  ・・・（１ａ）
１．０５＜｜Ｌｅｐｗ｜／Ｙｍａｘ＜２．００    ・・・（２ａ）
【００２８】
各実施例において、さらに好ましくは、条件式（１ａ）、（１ｂ）の数値範囲を次の如く設定するのが良い。
０．２０＜（Ｌｅｐｗ−Ｌｃ）／Ｒｃ＜１．１５  ・・・（１ｂ）
１．１＜｜Ｌｅｐｗ｜／Ｙｍａｘ＜１．８        ・・・（２ｂ）
【００２９】
各実施例において更に好ましくは次の条件式のうち１つ以上を満足するのが良い。光学系Ｌ０の最も像側の負レンズの焦点距離をｆｎとする。光学系全系の焦点距離（ズームレンズのときは広角端での値）をｆｗとする。光学系Ｌ０の最も像側の負レンズの物体側のレンズ面の曲率半径をＲｎａ、像側のレンズ面の曲率半径をＲｎｂとする。
【００３０】
また、光学系がズームレンズであり、広角端から望遠端へのズーミングに際し、光学系Ｌ０の最も像側の負レンズが物体側へ移動するズームレンズであるとする。そして広角端において無限遠物体に合焦しているときの光学系Ｌ０の最も像側の負レンズの横倍率をβｎｗ、望遠端において無限遠物体に合焦しているときの光学系Ｌ０の最も像側の負レンズの横倍率をβｎｔとする。このとき、次の条件式のうち１つ以上を満足するのが良い。
【００３１】
０．５＜｜ｆｎ｜／ｆｗ＜１５．０                        ・・・（３）
０．５＜（Ｒｎｂ＋Ｒｎａ）／（Ｒｎｂ−Ｒｎａ）＜５．０  ・・・（４）
１．１＜βｎｔ／βｎｗ＜３．０                          ・・・（５）
【００３２】
次に各条件式の技術的意味について説明する。条件式（３）は、光学系の最も像側に配置される負レンズＧｎの焦点距離と全系の焦点距離（光学系がズームレンズの場合は広角端での値）の比を規定している。負レンズＧｎの焦点距離を最適化することで、光学系の小型化を図りつつ高い光学性能を得ている。条件式（３）の下限を超えると、負レンズＧｎの焦点距離が短くなりすぎ、とくに像面湾曲が増大し、この収差補正が困難となる。一方、上限を超えると、負レンズＧｎの焦点距離が長くなりすぎ、バックフォーカスが増大し、レンズ全長が増大してくる。
【００３３】
条件式（４）は、光学系の最も像側に配置される負レンズＧｎのレンズ形状を規定している。負レンズＧｎのレンズ形状を最適化することで、光学系を小型化するとともに射出瞳位置を適切に配置している。条件式（４）の下限を超えると、負レンズＧｎの像側のレンズ面で発生する負のパワー（屈折力）が強まりすぎ、射出瞳位置が像面に近づきすぎて、光線の像面への入射角が増大しすぎてしまう。一方、上限を超えると、負レンズＧｎの像側のレンズ面で発生する正のパワーが強まりすぎ、負レンズＧｎ全体としてのパワーが弱まりすぎて光学系全系が大型化してくる。
【００３４】
各実施例において、より好ましくは条件式（３）、（４）の数値範囲を以下の範囲とするのがよい。
０．６５＜｜ｆｎ｜／ｆｗ＜１２．５                      ・・・（３ａ）
０．６＜（Ｒｎｂ＋Ｒｎａ）／（Ｒｎｂ−Ｒｎａ）＜４．０  ・・・（４ａ）
【００３５】
各実施例において、さらに好ましくは条件式（３ａ）、（４ａ）の数値範囲を以下の範囲とするのがよい。
０．８＜｜ｆｎ｜／ｆｗ＜１０．０                        ・・・（３ｂ）
０．７＜（Ｒｎｂ＋Ｒｎａ）／（Ｒｎｂ−Ｒｎａ）＜３．０  ・・・（４ｂ）
【００３６】
実施例１乃至５では、光学系としてズームレンズを用いている。また、実施例１乃至５では、広角端から望遠端への変倍に際し、最も像側に配置される負レンズＧｎは像側から物体側へ移動している。これによれば、負レンズＧｎのレンズ有効径の増大を抑制し光学系の小型化が容易となる。また、広角端から望遠端への変倍に際し、射出瞳は物体側へ移動する。ここで、負レンズＧｎに赤外線カット膜を配した場合、射出瞳と同時に負レンズＧｎも物体側へ移動することで、レンズ面法線に対する主光線入射角のズーム変動を低減し、色シェーディングのズーム変動を効果的に軽減することができる。
【００３７】
条件式（５）は光学系がズームレンズのときに相当する。条件式（５）は、光学系の最も像側に配置される負レンズＧｎの結像倍率を規定している。負レンズＧｎを増倍作用とすることにより光学系全系での変倍を分担し、光学系の小型化を容易にしている。条件式（５）の下限を超えると、負レンズＧｎによる変倍量が小さくなりすぎ、所定のズーム比を確保しようとすると、光学系が大型化してしまう。一方、上限を超えると、負レンズＧｎの変倍量が大きくなりすぎ、とくに像面湾曲と倍率色収差のズーム変動の補正が困難となるのでよくない。
【００３８】
より好ましくは条件式（５）の数値範囲を以下の範囲とするのがよい。
１．１５＜βｎｔ／βｎｗ＜２．５    ・・・（５ａ）
さらに好ましくは条件式（５ａ）の数値範囲を以下の範囲とするのがよい。
１．２＜βｎｔ／βｎｗ＜２．０      ・・・（５ｂ）
また、赤外線カット膜は開口絞りＳＳより像側に配置されたレンズ面に形成するのが良い。
【００３９】
各実施例において、最も像側に配置される負レンズＧｎの物体側のレンズ面に、赤外線カット膜を配している。つまり、負レンズＧｎの物体側のレンズ面を、赤外線カット膜に好適な各画角の主光線と、レンズ面法線角度の偏差が小さい構成としている。これによれば、レンズ面が開口絞りＳＳに対してコンセントリックに近いレンズ形状となり、色シェーディング発生を軽減しつつ像面湾曲を良好に補正している。
【００４０】
また、各実施例において、赤外線カット膜を複数のレンズ面に配置している。これによれば、赤外線カット作用を複数のレンズ面で分担し、光学系全系での赤外線カット効果をより強めることが容易となる。また、各実施例においては、光学系と撮像素子装置の間に、赤外線吸収フィルターとして作用するガラスブロックを配置することが好ましい。一般に、吸収型の赤外線カット膜のみで赤外線を強くカットしようとした場合、該フィルターの可視光域における吸収の影響により撮像光量が減少してしまう。
【００４１】
ここで、光学系中に配置した赤外線カット膜を吸収型の赤外線カット膜と併用することで、撮影光量確保と赤外線カット効果をバランスよく両立することができる。
【００４２】
次に、図面を用いて本発明の実施例１乃至６の光学系のレンズ構成を説明する。
［実施例１］
図１は本発明の光学系Ｌ０の実施例１のレンズ断面図である。実施例１の光学系Ｌ０はズームレンズである。実施例１のズームレンズは物体側から像側へ順に、負、正、負の屈折力の第１レンズ群Ｌ１乃至第３レンズ群Ｌ３を有する、３群ズームレンズである。
【００４３】
広角端から望遠端へのズーミングに際し、第１レンズ群Ｌ１は像側に凸状の軌跡で像側へ移動し、変倍に伴う像面変動を補償している。また、第２レンズ群Ｌ２と、第３レンズ群Ｌ３は各々のレンズ群間隔を変えながら物体側へ移動し変倍を行っている。第１レンズ群Ｌ１は物体側から像側へ順に、物体側の面が凸でメニスカス形状の２枚の負レンズと、物体側の面が凸でメニスカス形状の正レンズにて構成している。
【００４４】
第２レンズ群Ｌ２は物体側から像側へ順に、両凸形状の正レンズと両凹形状の負レンズを接合した接合レンズ、両凸形状の正レンズ、開口絞りＳＳ、像側の面が凸でメニスカス形状の正レンズにて構成している。第３レンズ群Ｌ３は物体側から像側へ順に、両凸形状の正レンズＧｐ、両凹形状の負レンズＧｎにて構成している。負レンズＧｎは光学系Ｌ０の最も像側のレンズに相当している。ここで、第３レンズ群Ｌ３の正レンズＧｐの像側のレンズ面（１６面）には赤外線カット膜ＩＲｃ１が形成され、第３レンズ群Ｌ３の負レンズＧｎの物体側のレンズ面（１７面）には赤外線カット膜ＩＲｃ２が形成されている。
【００４５】
表１に、赤外線カット膜を配置したレンズ面（１６面、１７面）における、４割像高と８割像高に相当する画角の主光線とレンズ面法線のなす角度を示す。各画角の主光線とレンズ面法線のなす角度の変動が小さいレンズ面に赤外カット膜を形成すことで、色シェーディングの発生を良好に抑制している。
【００４６】
［実施例２］
図３は本発明の光学系Ｌ０の実施例２のレンズ断面図である。実施例２の光学系Ｌ０はズームレンズである。実施例２のズームレンズは、レンズ群の数、各レンズ群の屈折力の符号、ズーミングにおける各レンズ群の移動条件等のズームタイプは実施例１と同じである。実施例１と比較して、撮像素子の有効撮像領域が大きく、ズーム領域における焦点距離範囲と各レンズ群内のレンズのレンズ形状が異なる。
【００４７】
第１レンズ群Ｌ１は物体側から像側へ順に、物体側の面が凸でメニスカス形状の負レンズと、物体側の面が凸でメニスカス形状の正レンズにて構成している。第２レンズ群Ｌ２は物体側から像側へ順に、開口絞り、物体側の面が凸でメニスカス形状の２枚の正レンズ、両凹形状の負レンズ、両凸形状の正レンズにて構成している。第３レンズ群Ｌ３は物体側から像側へ順に、像側の面が凸でメニスカス形状の正レンズＧｐ、像側の面が凸でメニスカス形状の負レンズＧｎにて構成している。
【００４８】
ここで、第３レンズ群Ｌ３の正レンズＧｐの像側のレンズ面（１５面）には赤外線カット膜ＩＲｃ１が形成され、第３レンズ群Ｌ３の負レンズＧｎの物体側のレンズ面（１６面）には赤外線カット膜ＩＲｃ２が形成されている。表２に、赤外線カット膜を配置したレンズ面（１５面、１６面）における、４割像高と８割像高に相当する画角の主光線とレンズ面法線のなす角度を表１と同様に示す。
【００４９】
［実施例３］
図５は本発明の光学系Ｌ０の実施例３のレンズ断面図である。実施例３の光学系はズームレンズである。実施例３のズームレンズにおけるズームタイプは、実施例１と同じである。実施例１と比較して、撮像素子の有効撮像領域が大きく、ズーム領域における焦点距離範囲と各レンズ群内のレンズのレンズ形状が異なる。
【００５０】
第１レンズ群Ｌ１のレンズ構成は実施例１と同じである。第２レンズ群Ｌ２は物体側から像側へ順に、両凸形状の正レンズと両凹形状の負レンズを接合した接合レンズ、開口絞りＳＳ、像側の面が凸で、メニスカス形状の正レンズにて構成している。第３レンズ群Ｌ３は物体側から像側へ順に、像側の面が凸でメニスカス形状の正レンズＧｐと像側の面が凸でメニスカス形状の負レンズＧｎにて構成している。負レンズＧｎは光学系Ｌ０の最も像側のレンズに相当している。
【００５１】
ここで、第３レンズ群Ｌ３の正レンズＧｐの像側のレンズ面（１４面）には赤外線カット膜ＩＲｃ１が形成され、第３レンズ群Ｌ３の負レンズＧｎの物体側のレンズ面（１５面）には赤外線カット膜ＩＲｃ２が形成されている。表３に、赤外線カット膜を配置したレンズ面（１４面、１５面）における、４割像高と８割像高に相当する画角の主光線とレンズ面法線のなす角度を表１と同様に示す。
【００５２】
［実施例４］
図７は本発明の光学系Ｌ０の実施例４のレンズ断面図である。実施例４の光学系Ｌ０はズームレンズである。実施例４のズームレンズは物体側から像側へ順に、負、正、正、負の屈折力の第１レンズ群Ｌ１乃至第４レンズ群Ｌ４を有する、４群ズームレンズである。
【００５３】
広角端から望遠端へのズーミングに際し、第１レンズ群Ｌ１は像側に凸状の軌跡で像側へ移動し変倍に伴う像面変動を補償している。また、第２レンズ群Ｌ２、第３レンズ群Ｌ３、第４レンズ群Ｌ４は各々のレンズ群間隔を変えながら物体側へ移動し変倍を行っている。
【００５４】
第１レンズ群Ｌ１のレンズ構成は実施例１と同じである。第２レンズ群Ｌ２は物体側から像側へ順に、両凸形状の正レンズと両凹形状の負レンズを接合した接合レンズ、両凸形状の正レンズ、開口絞りＳＳにて構成している。第３レンズ群Ｌ３は、像側の面が凸でメニスカス形状の正レンズにて構成している。第４レンズ群Ｌ４は物体側から像側へ順に、両凸形状の正レンズＧｐと像側の面が凸でメニスカス形状の負レンズＧｎにて構成している。負レンズＧｎは光学系Ｌ０の最も像側のレンズに相当している。
【００５５】
ここで、第４レンズ群Ｌ４の正レンズＧｐの像側のレンズ面（１６面）には赤外線カット膜ＩＲｃ１が形成されている。また第４レンズ群Ｌ４の負レンズＧｎの物体側の面（１７面）には赤外線カット膜ＩＲｃ２が形成されている。表４に、赤外線カット膜を配置したレンズ面（１６面、１７面）における、４割像高と８割像高に相当する画角の主光線とレンズ面法線のなす角度を表１と同様に示す。
【００５６】
［実施例５］
図９は本発明の光学系Ｌ０の実施例５のレンズ断面図である。実施例５の光学系Ｌ０はズームレンズである。実施例５のズームレンズは物体側から像側へ順に、正、負、正、負、正、負の屈折力の第１レンズ群Ｌ１乃至第６レンズ群Ｌ６を有する、６群ズームレンズである。
【００５７】
広角端から望遠端へのズーミングに際し、第１レンズ群Ｌ１は像側に凸状の軌跡で像面側へ移動する。第２レンズ群Ｌ２は像側に凸状の軌跡で像側に移動し変倍に伴う像面変動の補償と変倍を担っている。また、第３レンズ群Ｌ３、第４レンズ群Ｌ４、第５レンズ群Ｌ５、第６レンズ群Ｌ６は各々のレンズ群間隔を変えながら物体側に移動し変倍を行っている。
【００５８】
第１レンズ群Ｌ１は物体側から像側へ順に、物体側の面が凸でメニスカス形状の負レンズと物体側の面が凸でメニスカス形状の正レンズを接合した接合レンズにて構成している。第２レンズ群Ｌ２は物体側から像側へ順に、物体側の面が凸でメニスカス形状の負レンズ、両凹形状の負レンズ、物体側の面が凸でメニスカス形状の正レンズにて構成している。
【００５９】
第３レンズ群Ｌ３は物体側から像側へ順に、次のとおりである。物体側の面が凸でメニスカス形状の正レンズ、物体側の面が凸でメニスカス形状の正レンズと物体側の面が凸でメニスカス形状の負レンズを接合した接合レンズ、物体側の面が凸でメニスカス形状の正レンズ、開口絞りＳＳにて構成している。第４レンズ群Ｌ４は物体側から像側へ順に、両凹形状の負レンズと物体側の面が凸でメニスカス形状の正レンズを接合した接合レンズにて構成している。第５レンズ群Ｌ５は、両凸形状の正レンズＧｐにて構成している。第６レンズ群Ｌ６は、像側の面が凸でメニスカス形状の負レンズＧｎにて構成している。
【００６０】
ここで、第５レンズ群Ｌ５の正レンズＧｐの像側のレンズ面（２２面）には赤外線カット膜ＩＲｃ１が形成されている。また第６レンズ群Ｌ６の物体側のレンズ面（２３面）には赤外線カット膜ＩＲｃ２が形成されている。表５に、赤外線カット膜を配置したレンズ面（２２面、２３面）における、４割像高と８割像高に相当する画角の主光線とレンズ面法線のなす角度を表１と同様に示す。
【００６１】
［実施例６］
図１１は本発明の光学系Ｌ０の実施例６のレンズ断面図である。実施例６の光学系Ｌ０は単一焦点距離レンズ（単焦点レンズ）である。実施例６の光学系Ｌ０は物体側から像側へ順に、次のレンズ構成よりなっている。
【００６２】
物体側の面が凸でメニスカス形状の２枚の負レンズ、物体側の面が凸でメニスカス形状の正レンズ、両凸形状の正レンズと両凹形状の負レンズを接合した接合レンズ、像側の面が凸でメニスカス形状の正レンズ、開口絞りＳＳを有する。更に、両凸形状の正レンズ、像側の面が凸でメニスカス形状の正レンズＧｐ、像側の面が凸でメニスカス形状の負レンズＧｎを有する。負レンズＧｎは光学系Ｌ０の最も像側のレンズに相当している。
【００６３】
ここで、赤外線カット膜は、開口絞りＳＳより像側に配置される正レンズＧｐの像面のレンズ面（１６面）には赤外線カット膜ＩＲｃ１が形成されている。更に負レンズＧｎの物体側のレンズ面（１７面）には赤外線カット膜ＩＲｃ２が形成されている。表６に、赤外線カット膜を配置したレンズ面（１６面、１７面）における、４割像高と８割像高に相当する画角の主光線とレンズ面法線のなす角度を表１に同様に示す。
【００６４】
各実施例の撮像装置は、光学系Ｌ０と撮像素子を有する。光学系Ｌ０は物体側から像側へ順に、１枚以上のレンズ、開口絞りＳＳ、１枚以上のレンズを有する。光学系Ｌ０の最も像側のレンズは負レンズＧｎである。また、光学系Ｌ０の１つ以上のレンズ面には赤外線カット膜が形成されている。このとき、条件式（１）と条件式（２）を同時に満足している。これにより、像側へより射出瞳位置の短い構成の光学系の小型化を実現するとともに、赤外線カット膜への光線が斜入射のときに起因する色シェーディングの発生を軽減している。
【００６５】
以上、本発明の好ましい実施例について説明したが、本発明はこれらの実施例に限定されず、その要旨の範囲内で種々の変形及び変更が可能である。例えば、手振れによる像ぶれの補正のため各レンズ群の全体もしくはその一部を光軸に対して垂直方向の成分を有するように移動する構成を採用してもよい。また、光学系に残存する歪曲収差を電気的に補正（画像処理での補正）するようにしてもよい。
【００６６】
以下、実施例１乃至６に対応する数値データ１乃至６を示す。各数値データにおいて、ｉは物体側から数えた面の番号を示す。ｒｉは第ｉ番目の光学面（第ｉ面）の曲率半径である。ｄｉは第ｉ面と第（ｉ＋１）面との軸上間隔である。ｎｄｉ、νｄｉはそれぞれｄ線に対する第ｉ番目の光学部材の材料の屈折率、アッベ数である。ｆは焦点距離、ＦｎｏはＦナンバー、ωは半画角である。
【００６７】
ＢＦはバックフォーカスであり、最終レンズ面から像面までの空気換算での値である。レンズ全長は第１レンズ面から最終レンズ面までの光軸上の距離にバックフォーカスを加えた値である。また各種データにおける入射瞳位置と前側主点位置は、いずれも第１レンズ面からの光軸上の距離である。射出瞳位置と後側主点位置は、いずれも硝子ブロックの厚さを空気換算した像面からの位置である。
【００６８】
ここで、Ｎｄをフラウンフォーファーのｄ線（波長５８７．６ｎｍ）に対する屈折率とする。ＮＦをフラウンフォーファーのＦ線（波長４８６．１ｎｍ）に対する屈折率とする。ＮＣをフラウンフォーファーのＣ線（波長６５６．３ｎｍ）に対する屈折率とする。このとき、材料のアッべ数νｄは以下の式であらわされる。
νｄ＝（Ｎｄ−１）／（ＮＦ−ＮＣ）
【００６９】
非球面形状は、光の進行方向を正、ｘを光軸方向の面頂点からの変位量として、ｈを光軸と垂直な方向の光軸からの高さ、ｒを近軸曲率半径、Ｋを円錐定数、Ａ４、Ａ６、Ａ８、Ａ１０を非球面係数とするとき、
ｘ＝（ｈ２／ｒ）／［１＋｛１−（１＋Ｋ）×（ｈ／ｒ）２｝１／２］＋Ａ４×ｈ４＋Ａ６×ｈ６＋Ａ８×ｈ８＋Ａ１０×ｈ１０
なる式で表している。
【００７０】
なお、数値の「Ｅ±ＸＸ」は「×１０±ＸＸ」を意味している。また、前述の各条件式と数値データとの関係を（表７）に示す。
【００７１】
（数値データ１）
単位 mm
面データ
面番号       r        d      nd         νd       有効径
1         19.949    1.05   1.88300    40.8       25.50
2         10.763    5.98                         19.50
3         46.361    1.05   1.76802    49.2       19.00
4*        10.578    3.90                         16.50
5         14.874    2.10   1.92286    20.9       16.50
6         25.169  (可変)                         16.00
7*        16.267    2.20   1.76802    49.2        6.80
8        -23.843    0.55   1.69895    30.1        6.60
9         13.744    0.43                          6.50
10          9.799    2.85   1.48749    70.2        6.60
11        -17.901    0.45                          6.50
12(絞り)    ∞       1.00                          6.08
13        -11.545    0.70   1.48749    70.2        6.00
14        -10.120  (可変)                          6.00
15         29.438    2.10   1.55332    71.7        8.00
16*       -12.372    1.12                          8.30
17         -9.949    0.70   1.88300    40.8        8.30
18        100.203  (可変)                          9.00
19          ∞       1.20   1.51633    64.1       20.00
20          ∞       0.50                         20.00
21          ∞       0.50   1.51633    64.1       20.00
22          ∞       0.50                         20.00
像面        ∞   
【００７２】
非球面データ
第4面
K = 0.00000e+000  A 4=-3.91779e-005  A 6=-6.70580e-007  A 8= 5.52378e-009  A10=-1.10641e-010  
第7面
K = 0.00000e+000  A 4=-1.58659e-004  A 6=-1.84867e-006  A 8= 1.44173e-008  A10=-1.07018e-009  
第16面
K =-1.96729e+000  A 4= 2.53919e-004  A 6= 1.20722e-006  A 8= 1.35760e-007  
各種データ
ズーム比     2.65 
広角     中間     望遠
焦点距離       6.90    12.62    18.26  
Fナンバー      2.90     4.32     5.76  
半画角（度）  49.22    32.38    23.66  
像高           8.00     8.00     8.00  
レンズ全長    56.62    47.93    47.59  
BF             6.75    11.34   16.08  
d 6           18.85     5.64     0.77  
d14            4.85     4.78     4.57  
d18            4.63     9.22    13.96  
入射瞳位置    13.44    11.59    10.53  
射出瞳位置   -13.19   -17.74   -22.36  
前側主点位置  16.73    15.24    13.87  
後側主点位置  -6.90   -12.62   -18.26  
ズームレンズ群データ
群  始面    焦点距離  レンズ構成長  前側主点位置  後側主点位置
L1    1     -15.97        14.08         2.58         -9.66
L2    7      13.36         8.18         2.49         -3.91
L3   15     -38.50         3.92         6.83          3.40
G    19       ∞           2.20         0.81         -0.81
単レンズデータ
レンズ  始面  焦点距離
G1       1    -27.97
G2       3    -18.07
G3       5     35.89
G4       7     12.90
G5       8    -12.40
G6      10     13.44
G7      13    144.87
G8      15     16.03
G9(Gn)  17    -10.22
G10     19      0.00
G11     21      0.00
【００７３】
（数値データ２）
単位 mm
面データ
面番号       r        d      nd         νd       有効径
1        387.771    2.00   1.85135    40.1       23.12
2*        15.233    2.80                         19.18
3         16.835    2.50   1.92286    20.9       19.07
4         26.188  (可変)                         18.29
5(絞り)    ∞       0.30                          9.11
6*         9.622    3.30   1.58313    59.4        9.50
7         34.395    0.40                          8.74
8         17.167    1.90   1.60311    60.6        8.50
9        105.980    0.80                          7.89
10        -22.467    1.10   1.84666    23.8        7.63
11         54.827    0.80                          7.41
12         54.827    1.70   1.55332    71.7        7.33
13*       -23.447  (可変)                          7.23
14        -27.978    2.00   1.80518    25.4       12.94
15        -13.562    1.50                         13.51
16        -10.128    1.20   1.76802    49.2       13.63
17*       -49.739  (可変)                         16.14
18          ∞       1.20   1.51633    64.1       30.00
19          ∞       0.50                         30.00
20          ∞       0.50   1.51633    64.1       30.00
21          ∞       0.50                         30.00
像面        ∞   
【００７４】
非球面データ
第2面
K =-4.80469e-001  A 4= 2.12585e-005  A 6= 1.51789e-007  A 8=-7.73775e-010  A10= 5.14417e-012  
第6面
K =-6.58806e-001  A 4= 1.05105e-004  A 6= 1.75844e-006  A 8=-7.89799e-009  A10= 6.29525e-010  
第13面
K = 0.00000e+000  A 4= 3.15140e-004  A 6= 2.92427e-006  A 8= 9.05200e-008  
第17面
K = 0.00000e+000  A 4=-2.37683e-005  A 6=-1.56665e-007  A 8= 2.65842e-009  A10=-3.47758e-011  
各種データ
ズーム比     2.86 
広角     中間     望遠
焦点距離      18.10    35.51    51.80  
Fナンバー      3.67     5.32     7.00  
半画角（度）  36.92    20.96    14.71  
像高          13.60    13.60    13.60  
レンズ全長    63.44    57.03    62.08  
BF            11.10    21.21    31.96  
d 4           22.95     6.53     1.55  
d13            7.09     7.00     6.26  
d17            8.98    19.09    29.84  
入射瞳位置    15.52     8.83     5.68  
射出瞳位置   -23.58   -33.65   -44.05  
前側主点位置  19.72     6.86    -3.42  
後側主点位置 -18.10   -35.51   -51.80  
ズームレンズ群データ
群  始面    焦点距離  レンズ構成長  前側主点位置  後側主点位置
L1    1     -32.61         7.30         0.64         -4.42
L2    5      18.10        10.30         0.68         -7.07
L3   14     -37.81         4.70         2.80         -0.44
G    18       ∞           2.20         0.81         -0.81
単レンズデータ
レンズ  始面  焦点距離
G1       1    -18.67
G2       3     45.27
G3       6     21.84
G4       8     33.70
G5      10    -18.70
G6      12     29.91
G7      14     30.78
G8(Gn)  16    -16.78
G9      18      0.00
G10     20      0.00
【００７５】
（数値データ３）
単位 mm
面データ
面番号       r        d      nd         νd       有効径
1         23.655    1.50   1.81600    46.6       31.50
2         13.380    5.85                         24.00
3         28.657    1.50   1.81000    41.0       23.50
4*        10.440    4.21                         19.00
5         13.448    3.50   1.92286    20.9       18.50
6         18.945  (可変)                         17.00
7*        20.125    2.90   1.81000    41.0        7.50
8        -11.173    0.80   1.80518    25.4        6.40
9         89.402    1.20                          5.60
10(絞り)    ∞       1.12                          5.53
11       -130.308    1.90   1.55332    71.7        5.50
12        -11.116  (可変)                          6.30
13        -22.517    1.95   1.48749    70.2       10.00
14        -12.668    2.16                         10.50
15*       -10.792    1.05   1.73077    40.5       11.50
16        -25.626  (可変)                         13.50
17          ∞       1.20   1.51633    64.1       30.00
18          ∞       0.50                         30.00
19          ∞       0.50   1.51633    64.1       30.00
20          ∞       0.50                         30.00
像面        ∞   
【００７６】
非球面データ
第4面
K =-6.41550e-001  A 4= 4.73916e-005  A 6= 1.62737e-007  A 8= 1.40008e-009  A10=-1.87105e-012  
第7面
K = 0.00000e+000  A 4=-1.54189e-004  A 6= 1.13336e-006  A 8=-2.45846e-007  A10= 5.69124e-009  
第15面
K = 1.24378e+000  A 4=-1.46625e-005  A 6= 3.23782e-006  A 8=-8.79992e-008  A10= 2.01560e-009  
各種データ
ズーム比     1.90 
広角     中間     望遠
焦点距離      11.33    16.52    21.57  
Fナンバー      4.12     4.95     5.78  
半画角（度）  50.20    39.47    32.23  
像高          13.60    13.60    13.60  
レンズ全長    58.93    54.45    54.11  
BF             8.66    12.77    17.02  
d 6           13.32     4.99     0.80  
d12            7.30     7.05     6.65  
d16            6.54    10.65    14.90   
入射瞳位置    15.83    13.80    12.40  
射出瞳位置   -19.95   -23.89   -27.89
前側主点位置  20.72    18.90    17.29  
後側主点位置 -11.33   -16.52   -21.57  
ズームレンズ群データ
群  始面    焦点距離  レンズ構成長  前側主点位置  後側主点位置
L1    1     -20.47        16.56         4.49         -8.37
L2    7      14.50         7.92         3.57         -2.80
L3   13     -49.96         5.16         3.05         -0.97
G    17       ∞           2.20         0.81         -0.81
単レンズデータ
レンズ  始面  焦点距離
G1       1    -40.40
G2       3    -21.05
G3       5     38.47
G4       7      9.25
G5       8    -12.29
G6      11     21.84
G7      13     55.79
G8(Gn)  15    -26.30
G9      17      0.00
G10     19      0.00
【００７７】
（数値データ４）
単位 mm
面データ
面番号       r        d      nd         νd       有効径
1         28.993    1.50   1.58313    59.4       35.00
2*        10.130    8.52                         23.00
3         75.017    1.50   1.69680    55.5       22.00
4         11.612    3.53                         18.00
5         14.259    2.10   2.00069    25.5       17.00
6         21.828  (可変)                         16.50
7*        14.812    1.80   1.85135    40.1        7.90
8        -74.045    0.80   1.80809    22.8        7.10
9         18.318    1.19                          6.50
10         30.969    1.80   1.55332    71.7        5.70
11        -23.879    1.05                          5.40
12(絞り)    ∞     (可変)                          5.21
13        -17.411    0.75   1.55332    71.7        5.30
14*       -11.449  (可変)                          5.80
15         58.460    2.75   1.49700    81.5       11.00
16        -12.409    0.92                         11.50
17*       -12.930    1.05   1.85135    40.1       12.00
18       -112.172  (可変)                         13.00
19          ∞       1.20   1.51633    64.1       30.00
20          ∞       0.50                         30.00
21          ∞       0.50   1.51633    64.1       30.00
22          ∞       0.50                         30.00
像面        ∞   
【００７８】
非球面データ
第2面
K =-3.88288e-001  A 4= 4.21397e-006  A 6= 1.85880e-007  A 8=-1.39950e-009  A10= 1.16682e-011  
第7面
K = 0.00000e+000  A 4=-9.92045e-005  A 6= 8.97045e-007  A 8=-1.17947e-007  A10= 2.90064e-009  
第14面
K = 0.00000e+000  A 4= 4.67652e-005  A 6= 1.12889e-007  
第17面
K =-1.40851e+000  A 4=-1.99054e-004  A 6=-8.02251e-007  A 8= 3.30134e-009  A10=-2.72115e-010  
各種データ
ズーム比     1.91 
広角     中間     望遠
焦点距離       9.27    13.52    17.70  
Fナンバー      4.11     4.94     5.76  
半画角（度）  55.72    45.16    37.53  
像高          13.60    13.60    13.60  
レンズ全長    59.89    55.85    55.76  
BF             9.69    14.13    18.74  
d 6           13.04     4.94     0.80  
d12            2.25     2.55     2.85  
d14            5.66     4.98     4.12  
d18            7.57    12.01    16.62  
入射瞳位置    14.24    13.02    12.17  
射出瞳位置   -19.78   -23.96   -28.18  
前側主点位置  19.17    18.91    18.75  
後側主点位置  -9.27   -13.52   -17.70  
ズームレンズ群データ
群  始面    焦点距離  レンズ構成長  前側主点位置  後側主点位置
L1    1     -16.23        17.14         3.74        -10.72
L2    7      18.71         6.64         1.41         -3.69
L3   13      57.83         0.75         1.35          0.89
L4   15    -147.14         4.72        11.51          7.60
G    19       ∞           2.20         0.81         -0.81
単レンズデータ
レンズ  始面  焦点距離
G1       1    -27.51
G2       3    -19.91
G3       5     36.08
G4       7     14.63
G5       8    -18.10
G6      10     24.66
G7      13     57.83
G8      15     20.86
G9(Gn)  17    -17.25
G10     19      0.00
G11     21      0.00
【００７９】
（数値データ５）
単位 mm
面データ
面番号       r        d      nd         νd       有効径
1         60.618    1.40   1.92286    18.9       43.00
2         44.589    5.60   1.77250    49.6       40.00
3        348.313  (可変)                         38.50
4        182.095    1.10   1.83481    42.7       33.50
5         15.581    7.85                         25.00
6        -45.701    0.90   1.72916    54.7       25.00
7        125.993    0.10                         25.00
8         35.330    2.80   1.95906    17.5       25.00
9        148.050  (可変)                         24.50
10*        14.728    3.50   1.74330    49.3       14.80
11*        28.062    0.47                         14.00
12         10.873    3.00   1.49700    81.5       13.50
13         60.677    0.60   1.84666    23.8       12.80
14         15.166    1.92                         11.80
15         18.861    2.00   1.55332    71.7       11.30
16*       110.482    1.40                         10.60
17(絞り)    ∞     (可変)                         10.16
18*      -394.854    0.80   1.85135    40.1       11.00
19         17.895    1.20   1.80809    22.8       11.70
20         29.636  (可変)                         12.00
21         32.931    3.80   1.69680    55.5       16.20
22        -23.845  (可変)                         16.50
23        -21.112    1.20   1.85135    40.1       17.50
24*      -118.987  (可変)                         19.00
25          ∞       1.20   1.51633    64.1       30.00
26          ∞       0.50                         30.00
27          ∞       0.50   1.51633    64.1       30.00
28          ∞       0.50                         30.00
像面        ∞   
【００８０】
非球面データ
第10面
K = 0.00000e+000  A 4= 2.66711e-005  A 6=-9.13915e-008  A 8= 3.40042e-010  
第11面
K = 0.00000e+000  A 4= 3.71950e-005  A 6=-4.77987e-007  
第16面
K = 0.00000e+000  A 4= 1.86746e-004  A 6= 1.60647e-006  A 8= 2.38978e-008  
第18面
K = 0.00000e+000  A 4=-3.87605e-005  A 6= 3.91886e-007  A 8=-2.34568e-009  
第24面
K = 0.00000e+000  A 4=-2.36640e-005  A 6= 1.74635e-007  A 8=-1.81120e-009  A10= 9.12312e-012  
各種データ
ズーム比     4.71 
広角     中間     望遠
焦点距離      15.45    33.94    72.80  
Fナンバー     2.48     3.86     5.09  
半画角（度）  41.36    21.84    10.58  
像高          13.60    13.60    13.60  
レンズ全長    87.43    86.90   113.34  
BF             9.12    18.63    26.12  
d 3            0.85     6.52    29.28  
d 9           26.42     8.48     0.40  
d17            3.00     7.89    10.84  
d20            3.14     2.50     4.56  
d22            5.26     3.25     2.50  
d24            7.00    16.51    24.00  
入射瞳位置    25.60    32.18    84.79  
射出瞳位置   -21.81   -33.79   -46.40  
前側主点位置  30.11    32.03    43.36  
後側主点位置 -15.45   -33.94   -72.80  
ズームレンズ群データ
群  始面    焦点距離  レンズ構成長  前側主点位置  後側主点位置
L1    1     102.25         7.00        -1.13         -4.97
L2    4     -20.00        12.75         0.78         -9.67
L3   10      21.08        12.88        -0.26         -9.74
L4   18     -31.30         2.00         0.97         -0.12
L5   21      20.41         3.80         1.34         -0.97
L6   23     -30.32         1.20        -0.14         -0.79
G    25       ∞           2.20         0.81         -0.81
単レンズデータ
レンズ  始面  焦点距離
G1       1   -190.71
G2       2     65.67
G3       4    -20.47
G4       6    -45.89
G5       8     47.80
G6      10     37.50
G7      12     26.13
G8      13    -24.03
G9      15     40.79
G10     18    -20.09
G11     19     53.46
G12     21     20.41
G13(Gn) 23    -30.32
G14     25      0.00
G15     27      0.00
【００８１】
（数値データ６）
単位 mm
面データ
面番号       r        d      nd         νd       有効径
1         79.416    2.35   1.58313    59.4       62.00
2*        14.047   12.56                         37.50
3         67.650    2.35   1.59522    67.7       36.50
4         14.208    8.09                         26.00
5         18.520    5.05   2.00069    25.5       25.50
6         28.878   10.48                         23.00
7*        15.666    4.20   1.73077    40.5       14.00
8       -184.044    1.25   1.92286    18.9       11.50
9         23.221    2.00                         10.00
10       -213.499    2.50   1.48749    70.2        8.50
11        -24.009    1.65                          8.50
12(絞り)    ∞       0.55                          8.25
13         22.907    1.65   1.55332    71.7       10.00
14*       -79.667    8.89                         10.50
15        -57.566    1.95   1.49700    81.5       17.50
16        -23.283    1.34                         18.00
17*       -46.878    1.65   1.73077    40.5       18.50
18       -132.459    7.57                         21.50
19          ∞       1.20   1.51633    64.1       50.00
20          ∞       0.50                         50.00
21          ∞       0.50   1.51633    64.1       50.00
22          ∞       0.50                         50.00
像面        ∞   
【００８２】
非球面データ
第2面
K =-1.05763e+000  A 4= 1.96033e-005  A 6=-3.54949e-008  A 8= 1.76153e-010  A10=-2.66654e-013  
第7面
K = 0.00000e+000  A 4=-4.77795e-005  A 6=-4.38578e-008  A 8=-7.30949e-009  A10= 7.79123e-011  
第14面
K = 0.00000e+000  A 4= 2.78219e-006  A 6=-1.68836e-007  
第17面
K = 5.18925e+000  A 4=-1.16909e-004  A 6=-3.75379e-007  A 8= 2.42550e-009  A10=-3.45395e-011  
各種データ
焦点距離      10.30  
Fナンバー      2.88  
半画角（度）  64.55  
像高          21.64  
レンズ全長    78.20  
BF             9.69  
入射瞳位置    18.25  
射出瞳位置   -24.31  
前側主点位置  24.19  
後側主点位置 -10.30  
ズームレンズ群データ
群  始面    焦点距離  レンズ構成長  前側主点位置  後側主点位置
L     1      10.30        68.51        24.19         -0.61
G    19       ∞           2.20         0.81         -0.81
単レンズデータ
レンズ  始面  焦点距離
G1       1    -29.66
G2       3    -30.72
G3       5     41.48
G4       7     19.93
G5       8    -22.28
G6      10     55.25
G7      13     32.34
G8      15     77.21
G9(Gn)  17   -100.10
G10     19      0.00
G11     21      0.00
【００８３】
【表１】
0006783544.tif 000002
【００８４】
【表２】
0006783544.tif 000003
【００８５】
【表３】
0006783544.tif 000004
【００８６】
【表４】
0006783544.tif 000005
【００８７】
【表５】
0006783544.tif 000006
【００８８】
【表６】
0006783544.tif 000007
【００８９】
【表７】
0006783544.tif 000008
【符号の説明】
【００９０】
Ｌ０  光学系      Ｌ１  第１レンズ群      Ｌ２  第２レンズ群
Ｌ３  第３レンズ群      Ｌ４  第４レンズ群      Ｌ５  第５レンズ群
Ｌ６  第６レンズ群      Ｇｎ  最も像面側に配置される負レンズ
ＳＳ  開口絞り      ＩＰ  像面      ＩＲｃ１  赤外カット膜が形成されたレンズ面
ＩＲｃ２  赤外カット膜が形成されたレンズ面    Ｇ  ガラスブロック
【図１】
0006783544.tif 000009
【図２】
0006783544.tif 000010
【図３】
0006783544.tif 000011
【図４】
0006783544.tif 000012
【図５】
0006783544.tif 000013
【図６】
0006783544.tif 000014
【図７】
0006783544.tif 000015
【図８】
0006783544.tif 000016
【図９】
0006783544.tif 000017
【図１０】
0006783544.tif 000018
【図１１】
0006783544.tif 000019
【図１２】
0006783544.tif 000020
【図１３】
0006783544.tif 000021